(57)【要約】【課題】照明に用いる電力をより少なくすることができる。【解決手段】表示部１０８は文字や記号を表示する。第１の照明部１０９は、表示部１０８のうち時刻を表示する領域を照明する。第２の照明部１１０は、表示部１０８のうち、第１の照明部が照明する領域とは異なる領域を照明する。ＣＰＵ１０１は、動作モードを設定する。また、ＣＰＵ１０１は、設定した動作モードが所定のモードの場合、第１の照明部１０９を点灯させ、第２の照明部１１０を消灯させる。【選択図】図１
2013217729.tif 000002
【特許請求の範囲】
【請求項１】
文字や記号を表示する表示部と、
前記表示部のうち時刻を表示する領域を照明する第１の照明部と、
前記表示部のうち、前記第１の照明部が照明する領域とは異なる領域を照明する第２の照明部と、
動作モードを設定する動作モード設定部と、
前記動作モード設定部が設定した前記動作モードが所定のモードの場合、前記第１の照明部を点灯させ、前記第２の照明部を消灯させる制御部と、
を備えることを特徴とする電子時計。
【請求項２】
前記表示部に照射される光の照度を検出する照度検出部
を備え、
前記制御部は、前記照度検出部が検出した光の照度が所定の照度未満の場合、前記第１の照明部を点灯させる
ことを特徴とする請求項１に記載の電子時計。
【請求項３】
前記第１の照明部は、前記時刻を表示する領域のうち、秒を表示している領域よりも時分を表示している領域をより明るく照明する
ことを特徴とする請求項１または請求項２に記載の電子時計。
【請求項４】
前記制御部は、前記動作モード設定部が設定した前記動作モードが所定のモードの場合、前記第２の照明部の一部のみを消灯させる
ことを特徴とする請求項１から請求項３のいずれか１項に記載の電子時計。
【発明の詳細な説明】
【技術分野】
【０００１】
本発明は、電子時計に関する。
【背景技術】
【０００２】
従来より、電子時計の表示部を照明する技術が知られている。例えば、導光部材によって表示部が備えるパネルの上面側を照明しても、液晶表示パネルに表示された情報を鮮明に見ることができる電子時計が知られている（例えば、特許文献１参照）。また、文字板の下に配置された単一の光源と文字板の中心を通して不均一な厚さのガラスの中心でつくられた特定の構成によって中心対称を有する照明装置が知られている（例えば、特許文献２参照）。
【先行技術文献】
【特許文献】
【０００３】
【特許文献１】特開２０１０−１３３８２２号公報
【特許文献２】特開２００６−９８４０５号公報
【発明の概要】
【発明が解決しようとする課題】
【０００４】
しかしながら、従来知られている電子時計の表示部を照明する方法では、表示部の照明に用いる電力が多いという問題があった。
【０００５】
そこで本発明は、上述の事情を鑑みてなされたものであり、照明に用いる電力をより少なくすることができる電子時計を提供することを目的とする。
【課題を解決するための手段】
【０００６】
本発明は、文字や記号を表示する表示部と、前記表示部のうち時刻を表示する領域を照明する第１の照明部と、前記表示部のうち、前記第１の照明部が照明する領域とは異なる領域を照明する第２の照明部と、動作モードを設定する動作モード設定部と、前記動作モード設定部が設定した前記動作モードが所定のモードの場合、前記第１の照明部を点灯させ、前記第２の照明部を消灯させる制御部と、を備えることを特徴とする電子時計である。
【０００７】
また、本発明は、前記表示部に照射される光の照度を検出する照度検出部を備え、前記制御部は、前記照度検出部が検出した光の照度が所定の照度を超える場合、前記第１の照明部と前記第２の照明部とを点灯させないことを特徴とする電子時計である。
【０００８】
また、本発明の電子時計において、前記第１の照明部は、前記時刻を表示する領域のうち、秒を表示している領域よりも時分を表示している領域をより明るく照明することを特徴とする。
【０００９】
また、本発明の電子時計において、前記制御部は、前記動作モード設定部が設定した前記動作モードが所定のモードの場合、前記第２の照明部の一部のみを消灯させることを特徴とする。
【発明の効果】
【００１０】
本発明によれば、表示部は文字や記号を表示する。第１の照明部は、表示部の表示領域のうち時刻を表示する領域を照明する。第２の照明部は、表示部の表示領域のうち、第１の照明部が照明する領域とは異なる領域を照明する。動作モード設定部は、動作モードを設定する。制御部は、動作モード設定部が設定した動作モードが所定のモードの場合、第１の照明部を点灯させ、第２の照明部を消灯させる。これにより、電子時計は、動作モードが所定のモードのときには、第２の照明部を消灯させ第１の照明部を点灯させる。従って、照明に用いる電力をより少なくすることができる。
【図面の簡単な説明】
【００１１】
【図１】本発明の一実施形態における電子時計の構成を示したブロック図である。
【図２】本実施形態における電子時計の外観を示した外観図である。
【図３】本実施形態における動作モードの切り替え順を示した概略図である。
【図４】本実施形態において、点灯スイッチが入力を受け付けた場合における電子時計の動作手順を示したフローチャートである。
【図５】本実施形態における第１の照明部と第２の照明部との配置例を示した概略図である。
【発明を実施するための形態】
【００１２】
以下、本発明の一実施形態について、図面を参照しながら説明する。図１は、本実施形態における電子時計の構成を示したブロック図である。図示する例では、電子時計１００は、ＣＰＵ１０１（中央処理装置、制御部、動作モード設定部）と、発振回路１０２と、分周回路１０３と、入力部１０４と、ＲＯＭ（Ｒｅａｄ  Ｏｎｌｙ  Ｍｅｍｏｒｙ、読み出し専用メモリ）１０５と、ＲＡＭ（Ｒａｎｄｏｍ  Ａｃｃｅｓｓ  Ｍｅｍｏｒｙ、ランダムアクセスメモリ）１０６と、電池１０７と、表示部１０８と、第１の照明部１０９と、第２の照明部１１０と、照度検出部１１１とを備える。
【００１３】
ＣＰＵ１０１は、電子時計１００が備える各部の制御を行う。また、ＣＰＵ１０１は制御部として動作し、第１の照明部１０９と第２の照明部１１０との点灯および消灯を制御する。また、ＣＰＵ１０１は動作モード設定部として動作し、電子時計１００が動作する動作モードを選択する。動作モードについては後述する。
【００１４】
発振回路１０２は、所定周波数の信号を出力する。分周回路１０３は、発振回路１０２の出力信号を所定分周比で分周してＣＰＵ１０１用の規準クロック信号や計時用の時計信号を出力する。入力部１０４は、外部から操作可能なスイッチによって構成されており、入力を受け付ける。入力部１０４が備えるスイッチについては後述する。
【００１５】
ＲＯＭ１０５は、ＣＰＵ１０１が実行するプログラムを予め記憶している。ＲＡＭ１０６は、電子時計１００が備える各部が用いるデータを記憶する。電池１０７は、リチウム電池などであり、電子時計１００が備える各部に電力を供給する。表示部１０８は、例えば液晶ディスプレイであり、文字や記号などを表示する。第１の照明部１０９は、例えばＬＥＤ（Ｌｉｇｈｔ  Ｅｍｉｔｔｉｎｇ  Ｄｉｏｄｅ、発光ダイオード）であり、発光することで表示部１０８の表示領域のうち時刻を表示する領域を照明する。第２の照明部１１０は、例えばＬＥＤであり、発光することで表示部１０８の表示領域のうち時刻を表示する領域とは異なる領域を照明する。照度検出部１１１は、表示部１０８に照射される光の照度を検出する。
【００１６】
次に、電子時計１００の入力部１０４が備えるスイッチについて説明する。本実施形態では、入力部１０４は、スタート／ストップスイッチ１０４１と、点灯スイッチ１０４２と、セット／リセットスイッチ１０４３と、モードスイッチ１０４４と、ラップスイッチ１０４５とを備えている。
【００１７】
図２は、本実施形態における電子時計１００の外観を示した外観図である。図示する例では、電子時計１００は、上面に表示部１０８を備えている。また、電子時計１００は、表示部１０８の上側に照度検出部１１１を備えている。また、電子時計１００は、表示部１０８の表示領域のうち時刻を表示する領域２０１を照明する第１の照明部１０９を表示部１０８の裏側に備えている。また、電子時計１００は、表示部１０８の表示領域のうち時刻を表示する領域２０１とは異なる領域２０２を照明する第２の照明部１１０を表示部１０８の裏側に備えている。
【００１８】
また、電子時計１００は、右側面の上側に入力部１０４のスタート／ストップスイッチ１０４１を備えている。また、電子時計１００は、右側面の下側に入力部１０４の点灯スイッチ１０４２を備えている。また、電子時計１００は、左側面の上側に入力部１０４のセット／リセットスイッチ１０４３を備えている。また、電子時計１００は、左側面の下側にモードスイッチ１０４４を備えている。また、電子時計１００は、表示部１０８の下側にラップスイッチ１０４５を備えている。
【００１９】
次に、電子時計１００が動作する動作モードについて説明する。本実施形態では、電子時計１００は、通常時の動作モードである通常モードと、夜間時にランニングを行う際に用いる動作モードである夜間ランニングモードとを有する。夜間ランニングモードは、通常モードと比較して、照明に用いる電力を少なくすることができる動作モードである。
【００２０】
また、電子時計１００は、通常モードと夜間ランニングモードとのそれぞれのモードにおいて、時刻表示モードと、クロノグラフ計測モードと、データ表示モードと、タイマ計測モードと、アラーム設定モードとのいずれかの動作モードで動作する。
【００２１】
時刻表示モードは、表示部１０８に時刻を表示する動作モードである。クロノグラフ計測モードは、時間を計測し、計測時間を表示部１０８に表示する動作モードである。データ表示モードは、過去に計測した時間を表示部１０８に表示する動作モードである。タイマ計測モードは、タイマ計測を行い、経過時間を表示部１０８に表示する動作モードである。アラーム設定モードは、アラーム開始時刻を設定し、設定したアラーム開始時刻を表示部１０８に表示する動作モードである。本実施形態では、モードスイッチ１０４４が動作モードを切り替える指示入力を受け付けた場合、動作モード設定部として動作するＣＰＵ１０１は、動作モードを設定する。
【００２２】
図３は、本実施形態における動作モードの切り替え順を示した概略図である。図示する例では、動作モード設定部として動作するＣＰＵ１０１は、モードスイッチ１０４４が動作モードを切り替える指示入力を受け付ける度に、「通常モード・時刻表示モード」と、「通常モード・クロノグラフ計測モード」と、「通常モード・データ表示モード」と、「通常モード・タイマ計測モード」と、「通常モード・アラーム設定モード」と、「夜間ランニングモード・時刻表示モード」と、「夜間ランニングモード・クロノグラフ計測モード」と、「夜間ランニングモード・データ表示モード」と、「夜間ランニングモード・タイマ計測モード」と、「夜間ランニングモード・アラーム設定モード」との順に動作モードを切り換えて設定する。
【００２３】
例えば、電子時計１００が「通常モード・時刻表示モード」で動作しているときにモードスイッチ１０４４が動作モードを切り替える指示入力を受け付けた場合、動作モード設定部として動作するＣＰＵ１０１は、動作モードを「通常モード・クロノグラフ計測モード」に切り替える。他の動作モードで動作しているときにモードスイッチ１０４４が動作モードを切り替える指示入力を受け付けた場合においても、動作モード設定部として動作するＣＰＵ１０１は、図示するように動作モードを切り替える。
【００２４】
次に、本実施形態における表示部１０８の照明方法について説明する。図４は、本実施形態において、点灯スイッチ１０４２が入力を受け付けた場合における電子時計１００の動作手順を示したフローチャートである。
【００２５】
（ステップＳ１０１）照度検出部１１１は、表示部１０８に照射される光の照度を検出する。その後、ステップＳ１０２の処理に進む。
（ステップＳ１０２）ＣＰＵ１０１は、ステップＳ１０１の処理で照度検出部１１１が検出した照度は所定の照度以下であるか否かを判定する。照度検出部１１１が検出した照度は所定の照度以下であるとＣＰＵ１０１が判定した場合にはステップＳ１０３の処理に進み、それ以外の場合には処理を終了する。例えば、所定の照度としては、第１の照明部１０９および第２の照明部１１０を点灯させなくてもユーザが表示部１０８の表示を認識することができる照度とする。なお、所定の照度は予め定められていてもよく、任意に設定できるようにしてもよい。
【００２６】
（ステップＳ１０３）ＣＰＵ１０１は、動作モードが「夜間ランニングモード」（所定のモード）であるか否かを判定する。動作モードが「夜間ランニングモード」であるとＣＰＵ１０１が判定した場合にはステップＳ１０４の処理に進み、それ以外の場合にはステップＳ１０５の処理に進む。
（ステップＳ１０４）ＣＰＵ１０１は第１の照明部１０９を点灯させる。その後、処理を終了する。
（ステップＳ１０５）ＣＰＵ１０１は第１の照明部１０９と第２の照明部１１０とを点灯させる。その後、処理を終了する。
【００２７】
上述した処理を行うことで、電子時計１００は、所定のモード（例えば、夜間ランニングモード）で動作しているときに点灯スイッチ１０４２が入力を受け付けた場合、第２の照明部１１０を消灯し、第１の照明部１０９のみを点灯させる。ユーザは、一般的に走行時には時刻のみを確認する。従って、電子時計１００は、第１の照明部１０９のみを点灯させることで、時刻が表示されている領域２０１を照明することができる。
【００２８】
また、電子時計１００は、所定のモード以外のモード（例えば、通常モード）で動作しているときに点灯スイッチ１０４２が入力を受け付けた場合、第１の照明部１０９と第２の照明部１１０との両方を点灯させる。ユーザは、一般的に走行時以外には時刻以外の情報についても確認する。従って、電子時計１００は、第１の照明部１０９と第２の照明部１１０との両方を点灯させることで、時刻が表示されている領域２０１と、時刻が表示されている領域２０１とは異なる領域２０２とを照明することができる。
【００２９】
従って、夜間ランニングモードで動作している場合には、第１の照明部１０９のみを点灯させ、第２の照明部１１０を消灯させるため、照明に用いる電力をより少なくすることができる。
【００３０】
なお、上述した例では、所定のモード（夜間ランニングモード）で動作している場合には、ステップＳ１０４の処理で第１の照明部１０９のみを点灯させているが、これに限らず、第１の照明部１０９を点灯させ、さらに、第２の照明部１１０のうち一部を点灯させるようにしてもよい。すなわち、所定のモード（夜間ランニングモード）で動作している場合には、第２の照明部１１０の一部のみを消灯させるようにしてもよい。図２に示した例では、電子時計１００は、表示部１０８の上側の領域を照明する第２の照明部１１０と、表示部１０８の下側の領域を照明する第２の照明部１１０の２つの第２の照明部１１０を備えている。この場合、所定のモード（夜間ランニングモード）で動作している場合には、第１の照明部１０９と、表示部１０８の上側の領域を照明する第２の照明部１１０（または表示部１０８の下側の領域を照明する第２の照明部１１０）とを点灯させるようにしてもよい。
【００３１】
また、電子時計１００は、照度検出部１１１が検出した照度が所定の照度を超える場合、第１の照明部１０９と第２の照明部１１０とを点灯させない。すなわち、電子時計１００は、表示部１０８に光が照射されており、第１の照明部１０９および第２の照明部１１０を点灯させなくてもユーザが表示部１０８の表示を認識することができる場合には、第１の照明部１０９と第２の照明部１１０とを点灯させない。これにより、照明に用いる電力をより少なくすることができる。
【００３２】
なお、第１の照明部１０９と第２の照明部１１０の配置方法は図２に示した例に限らず、第１の照明部１０９が時刻を表示する領域２０１を照明し、第２の照明部１１０が時刻を表示する領域２０１とは異なる領域２０２を照明する配置であればどのような配置方法でもよい。
【００３３】
図５は、本実施形態における第１の照明部１０９と第２の照明部１１０との配置例を示した概略図である。図示する例では、電子時計１００は、上面に表示部１０８を備えている。また、電子時計１００は、表示部１０８の表示領域のうち時刻を表示する領域２０１を照明する第１の照明部１０９を表示部１０８の右側中央部に備えている。また、電子時計１００は、表示部１０８の表示領域のうち時刻を表示する領域２０１とは異なる領域２０２を照明する第２の照明部１１０を表示部１０８の右側上部および下部に備えている。なお、照度検出部１１１と、スタート／ストップスイッチ１０４１と、点灯スイッチ１０４２と、セット／リセットスイッチ１０４３と、モードスイッチ１０４４と、ラップスイッチ１０４５との配置は、図２に示した配置と同様である。この配置により、第１の照明部１０９は、表示部１０８の表示領域のうち、時刻を表示する領域２０１を照明する。また、第２の照明部１１０は、表示部１０８の表示領域のうち、時刻を表示する領域２０１とは異なる領域２０２を照明する。
【００３４】
また、図５に示す例では、第１の照明部１０９は、時刻を表示する領域２０１のうち、秒を表示している領域２０２１よりも時分を表示している領域２０２２をより明るく照明する。ユーザは、一般的に走行時には秒よりも時分を確認する。従って、電子時計１００は、ユーザがより確認する情報をより明るく照明することができる。
【００３５】
なお、上述した実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００３６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００３７】
以上、本発明の一実施形態について説明したが、本発明は、上記実施形態に限定されるものではなく、本発明の趣旨を逸脱しない範囲において種々の変更を加えることが可能である。
【００３８】
例えば、上述した例では、入力部１０４がスタート／ストップスイッチ１０４１と、点灯スイッチ１０４２と、セット／リセットスイッチ１０４３と、モードスイッチ１０４４と、ラップスイッチ１０４５とを備えている例を用いて説明したが、これに限らず、入力部１０４はどのようなスイッチを備えていてもよい。
【符号の説明】
【００３９】
１００・・・電子時計、１０１・・・ＣＰＵ、１０２・・・発振回路、１０３・・・分周回路、１０４・・・入力部、１０５・・・ＲＯＭ、１０６・・・ＲＡＭ、１０７・・・電池、１０８・・・表示部、１０９・・・第１の照明部、１１０・・・第２の照明部、１０４１・・・スタート／ストップスイッチ、１０４２・・・点灯スイッチ、１０４３・・・セット／リセットスイッチ、１０４４・・・モードスイッチ、１０４５・・・ラップスイッチ
【図１】
2013217729.tif 000003
【図２】
2013217729.tif 000004
【図３】
2013217729.tif 000005
【図４】
2013217729.tif 000006
【図５】
2013217729.tif 000007